(57)【要約】【課題】  タブレット端末、電子書籍端末、スマートフォン等の携帯情報機器を傾斜状態で保持することができ、更にノートパソコンやその他の携帯情報機器に電力を供給したり、必要に応じてＬＡＮ接続することが可能である携帯情報機器のサポート装置を提供し、更には携帯情報機器のサポート装置を備えたテーブルを提供する。【解決手段】  テーブル１の天板４の縁部に設け、携帯情報機器３のスタンド機能を備えた携帯情報機器のサポート装置２であって、前面に後傾した傾斜面６を有する側面視略三角形状のボックス体５を備え、傾斜面の下縁に沿って係止部７を設けて、傾斜面とでタブレット端末等のスタンド機能を構成するとともに、ボックス体を天板縁部に載置した状態で天板下方からの締め付けによって固定する固定手段１０を備えた。また、ボックス体に携帯情報機器に電力を供給する機能を設けた。【選択図】        図１
2015104577.tif 000002
【特許請求の範囲】
【請求項１】
テーブルの天板の縁部に設け、タブレット端末、電子書籍端末、スマートフォン等の携帯情報機器のスタンド機能を備えた携帯情報機器のサポート装置であって、前面に後傾した傾斜面を有する側面視略三角形状のボックス体を備え、前記傾斜面の下縁に沿って係止部を設けて、前記傾斜面とでタブレット端末、電子書籍端末、スマートフォンのスタンド機能を構成するとともに、該ボックス体を天板縁部に載置した状態で天板下方からの締め付けによって固定する固定手段を備えたことを特徴とする携帯情報機器のサポート装置。
【請求項２】
前記ボックス体の傾斜面の適所に、ノートパソコンやその他の携帯情報機器に電力を供給するための接続端子を単又は複数設けてなる請求項１記載の携帯情報機器のサポート装置。
【請求項３】
前記ボックス体の背面は垂直面となっており、該垂直面を下方に延長して幕板部を一体形成するとともに、前記固定手段を該幕板部に内蔵してなる請求項１又は２記載の携帯情報機器のサポート装置。
【請求項４】
前記請求項１〜３何れか１項に記載の携帯情報機器のサポート装置を天板の縁部に設けてなるテーブル。
【発明の詳細な説明】
【技術分野】
【０００１】
本発明は、携帯情報機器のサポート装置及びテーブルに係わり、更に詳しくはノートパソコン、タブレット端末、電子書籍端末、スマートフォン等の携帯情報機器のサポート装置及びそのサポート装置を備えたテーブルに関するものである。
【背景技術】
【０００２】
従来から、テーブルや机の天板後部に、天板上に載置したノートパソコン等の情報機器に電力を供給し、あるいはＬＡＮ接続のための接続端子を設けたボックス体を配置したものは各種提供されている。例えば、特許文献１及び特許文献２には、前側の傾斜面に複数の接続端子を設けたコンセントボックス体を、天板の後部にクランプを用いて取付ける構造が開示されている。
【０００３】
ここで、特許文献１のクランプ構造は、ボックス体の後部に垂設した取付ボルトを上方から回転操作することで、天板の後部下面に回り込んだ固定金具を引き付けてボックス体と固定金具とで天板後部を上下から挟持する構造である。特許文献２のクランプ構造は、ボックス体を固定する金具本体の上面板を天板後部上面に載置し、該上面板から下方に延び、天板下面に回り込んだ下面板に下方から垂直にネジを螺合し、下方からネジを回転操作して先端を天板下面に圧接し、前記上面板とで天板後部を上下から挟持する構造である。
【０００４】
一方、特許文献３には、机の背後に幕板を兼ねた配線内蔵ボックスを設け、該配線内蔵ボックスの上部は机天板より上方に位置し、上部前側に設けた段部を天板後端部の上面に載置した状態で机の両脚部に取付け、前記段部より上方に形成した後傾した傾斜面に複数の接続端子を設けたものが開示されている。
【０００５】
また、特許文献４には、デスク、テーブル、カウンタ等の天板上に携帯電話機を置くことが可能な棚板を設けるとともに、その下面近傍にパソコンや携帯電話の充電器やアダプタ等を接続するためのコンセントボックスを配置したものが開示されている。
【先行技術文献】
【特許文献】
【０００６】
【特許文献１】特開平７−２７５０４４号公報
【特許文献２】特開平８−１４８２３１号公報
【特許文献３】特開２０００−３３３７３６号公報
【特許文献４】特開２００１−０６１５６５号公報
【発明の概要】
【発明が解決しようとする課題】
【０００７】
しかしながら、従来の配線機能を備えたテーブルやデスクは、水平な天板や棚板に置いたノートパソコンや携帯電話機に電力を供給することができるものの、近年急速に普及してきたタブレット端末、スマートフォン等の携帯情報機器を使用することを想定したものではなく、使用勝手は良くなかった。
【０００８】
そこで、本発明が前述の状況に鑑み、解決しようとするところは、タブレット端末、電子書籍端末、スマートフォン等の携帯情報機器を傾斜状態で保持することが可能であり、更にノートパソコンやその他の携帯情報機器に電力を供給したり、必要に応じてＬＡＮ接続することが可能である携帯情報機器のサポート装置を提供し、更には携帯情報機器のサポート装置を備えたテーブルを提供する点にある。
【課題を解決するための手段】
【０００９】
本発明は、前述の課題解決のために、テーブルの天板の縁部に設け、タブレット端末、電子書籍端末、スマートフォン等の携帯情報機器のスタンド機能を備えた携帯情報機器のサポート装置であって、前面に後傾した傾斜面を有する側面視略三角形状のボックス体を備え、前記傾斜面の下縁に沿って係止部を設けて、前記傾斜面とでタブレット端末、電子書籍端末、スマートフォンのスタンド機能を構成するとともに、該ボックス体を天板縁部に載置した状態で天板下方からの締め付けによって固定する固定手段を備えたことを特徴とする携帯情報機器のサポート装置を構成した（請求項１）
【００１０】
ここで、前記ボックス体の傾斜面の適所に、ノートパソコンやその他の携帯情報機器に電力を供給するための接続端子を単又は複数設けてなることが好ましい（請求項２）。
【００１１】
更に、前記ボックス体の背面は垂直面となっており、該垂直面を下方に延長して幕板部を一体形成するとともに、前記固定手段を該幕板部に内蔵してなることがより好ましい（請求項３）。
【００１２】
そして、前述の携帯情報機器のサポート装置を天板の縁部に設けてなるテーブルを構成した（請求項４）。
【発明の効果】
【００１３】
以上にしてなる請求項１に係る発明の携帯情報機器のサポート装置は、テーブルの天板の縁部に設け、タブレット端末、電子書籍端末、スマートフォン等の携帯情報機器のスタンド機能を備えた携帯情報機器のサポート装置であって、前面に後傾した傾斜面を有する側面視略三角形状のボックス体を備え、前記傾斜面の下縁に沿って係止部を設けて、前記傾斜面とでタブレット端末、電子書籍端末、スマートフォンのスタンド機能を構成するとともに、該ボックス体を天板縁部に載置した状態で天板下方からの締め付けによって固定する固定手段を備えたので、タブレット端末、電子書籍端末、スマートフォンをボックス体の傾斜面に持たれ掛け、下端を係止部で係止した後傾状態で支持することができ、テーブルや机等の天板の縁部に固定手段を用いて簡単に取付けて使用することができる。
【００１４】
請求項２によれば、前記ボックス体の傾斜面の適所に、ノートパソコンやその他の携帯情報機器に電力を供給するための接続端子を単又は複数設けてなるので、天板上に置いたノートパソコンや、サポート機能を用いて後傾状態に支持したタブレット端末等の携帯情報機器の電源コードを、前面から簡単に接続端子に接続して電力を供給することができる。
【００１５】
請求項３によれば、前記ボックス体の背面は垂直面となっており、該垂直面を下方に延長して幕板部を一体形成するとともに、前記固定手段を該幕板部に内蔵してなるので、サポート装置に幕板の機能を併せて持たせることができ、また固定手段が露出しないので外観性にも優れたものとなる。
【００１６】
請求項４によれば、天板の縁部にボックス体を載置し、固定手段で固定するだけで、携帯情報機器に電力を供給する機能とスタンド機能とを備えたテーブルを提供することができる。また、ボックス体に幕板部を一体形成した場合には、幕板を備えたテーブルとなり、従来のように別々の機能の部品を取付けなくても、複数機能を備えたテーブルとすることができる。
【図面の簡単な説明】
【００１７】
【図１】本発明の第１実施形態の携帯情報機器のサポート装置を装着したテーブルの斜視図である。
【図２】第１実施形態のサポート装置の斜視図である。
【図３】第１実施形態のサポート装置の部分拡大分解斜視図である。
【図４】第１実施形態のサポート装置の部分正面図である。
【図５】図４のＸ−Ｘ線拡大断面図である。
【図６】第１実施形態のサポート装置の固定手段の部分拡大縦断面図である。
【図７】本発明の第２実施形態の携帯情報機器のサポート装置を装着したテーブルの斜視図である。
【図８】第２実施形態のサポート装置の斜視図である。
【図９】第２実施形態のサポート装置の部分正面図である。
【図１０】図９のＹ−Ｙ線拡大断面図である。
【発明を実施するための形態】
【００１８】
次に、添付図面に示した実施形態に基づき、本発明を更に詳細に説明する。図１〜図６は本発明の第１実施形態の携帯情報機器のサポート装置を装着したテーブルを示し、図７〜図１０は本発明の第２実施形態の携帯情報機器のサポート装置を装着したテーブルを示し、図中符号１はテーブル、２はサポート装置、３は携帯情報機器、４は天板、５はボックス体、６は傾斜面、７は係止部、８は接続端子、９は幕板部、１０は固定手段をそれぞれ示している。
【００１９】
本発明を適用するテーブル１は、天板４を脚部１１，１１で支持したシンプルな構造であり、立ち姿勢で使用するのに適した天板４の高さに設定されている。前記テーブル１の構造は限定されないが、前記天板４の少なくとも後部あるいは側部は自由端となっている、あるいは脚部１１に対して天板勝ちとなっていることが好ましい。第１実施形態のサポート装置２は、テーブル１の天板４の長辺側の後部に沿って設けるものであり、左右方向に長尺となっている。
【００２０】
前記サポート装置２は、図１及び図２に示すように、テーブル１の天板４の縁部に設け、ノートパソコン３Ａ、タブレット端末３Ｂ、電子書籍端末、スマートフォン３Ｃ等の携帯情報機器３に少なくとも電力を供給する機能とスタンド機能とを備えたものであり、前面に後傾した傾斜面６を有する側面視略三角形状のボックス体５を備え、前記傾斜面６の下縁に沿って係止部７を設けて、前記傾斜面６とでタブレット端末３Ｂ、電子書籍端末、スマートフォン３Ｃのスタンド機能を構成するとともに、該ボックス体５を天板４縁部に載置した状態で天板４下方からの締め付けによって固定する固定手段１０を備えたものである。
【００２１】
更に詳しくは、前記ボックス体５の傾斜面６の適所、本実施形態では下部に、電力を供給するための接続端子８を単又は複数設けている。電力を供給するための接続端子８は、通常の電源コンセントであるが、サーバー等に接続したＵＳＢ端子を設けて電力を供給しても良い。また、携帯情報機器３に電力を供給する目的の接続端子８の他に、前記傾斜面６の適所に有線ＬＡＮ接続のための端子を設けても良い。また、前記ボックス体５にワイヤレス給電機能（非接触給電装置）を内蔵し、あるいは近距離無線通信が可能な二次元ＬＡＮシステムであるＬＡＮシート（イトーキの登録商標）を傾斜面６に設けても良い。
【００２２】
前記ボックス体５は、図５に示すように、前面は後傾した傾斜面６、背面は垂直面１２となっており、該垂直面１２を下方に延長して幕板部９を一体形成している。そして、前記固定手段１０は、前記ボックス体５を天板４縁部に載置した状態で天板４下方からの締め付けによって固定するものであり、前記幕板部９に内蔵している。ここで、「内蔵」とは、幕板部９の内部に完全に隠れていることを意味しているのではなく、幕板部９と関連づけて設けられていることを意味し、前側に露出していても良い。
【００２３】
前記ボックス体５は、本実施形態では板金で作製し、両端を閉塞部材１３で閉じた構造であるが、内部構造や材質には限定されず、合成樹脂製であっても、木製であっても、またはそれらの複合材であっても構わない。本実施形態では、前記ボックス体５の係止部７、傾斜面６、垂直面１２及び幕板部９の表面を不織布（フェルト）等の同色のクロス貼り仕上げとしている。
【００２４】
前記ボックス体５には、前記係止部７から連続した水平な支持面１４を有し、前記幕板部９の前側にネジ駆動で昇降する締付部材１５を備えた前記固定手段１０が設けられている。第１実施形態における固定手段１０を、図３〜図６に基づき説明する。前記幕板部９は、それを構成する垂直板１６の下端を前側へ直角に折曲して下面板１７を形成し、該下面板１７の前縁を上方へ折曲して補強板１８を形成し、前記垂直板１６の前面で両側部に断面ハット形の補強部材１９を縦方向に固着したものである。そして、断面倒コ字形の長尺のエッジ部材２０を、前記幕板部９の下面板１７及び補強板１８を外覆するように配置し、該エッジ部材２０の両側部の上面に固着した側面視逆Ｌ字状の前記締付部材１５を前記補強部材１９に沿わせて配置し、前記エッジ部材２０の下板２１の通孔２２に下方から挿通したネジ２３を前記下面板１７の螺孔２４若しくは下穴に螺合し、該エッジ部材２０と締付部材１５，１５を一体として幕板部９に対して上昇させ、前記締付部材１５の水平部２５を前記天板４の下面に圧接し、もって前記ボックス体５の支持面１４と締付部材１５の水平部２５とで天板４を上下から挟持して固定する。
【００２５】
更に、固定状態を安定させるために、前記幕板部９の前側から、前記締付部材１５の垂直部２６を前記補強部材１９にネジ止めする。具体的には、前記締付部材１５の垂直部２６に形成した縦長孔２７に前側から挿通した固定ネジ２８を補強部材１９に形成した螺孔２９若しくは下穴に螺合する。尚、前記サポート装置２をテーブル１の天板４の縁部に取付ける前に、前記エッジ部材２０を幕板部９の下端部に外嵌し、ネジ２３を下板２１の通孔２２に通し、下面板１７の螺孔２４に螺合するとともに、前記締付部材１５の垂直部２６の縦長孔２７に固定ネジ２８を通し、前記補強部材１９の螺孔２９に緩く螺合した状態に組付けておく。その状態で、前記ネジ２３を緩めれば前記締付部材１５が下降して前記ボックス体５の支持面１４との間隔が開き、適当に広い間隔に設定した後、天板４の後部からボックス体５の支持面１４を載置するとともに、補強部材１９の上端部が天板４の後端に接触する位置で、前記ネジ２３を締め付けて前記締付部材１５を上昇させて、水平部２５を天板４の下面に圧接し、最後に固定ネジ２８を締め付けてガタつきなく固定し、もってサポート装置２を天板４の後部に取付けるのである。ここで、前記ボックス体５の支持面１４と、前記締付部材１５の水平部２５の上面には、フェルトなどの緩衝シートを添設しておき、天板４に対する傷付きを防止している。
【００２６】
前記ボックス体５の係止部７は、前記傾斜面６に連続した底面３０と、該底面３０の前縁から斜め前方に立ち上がった当止片３１からなっている。前記ボックス体５の傾斜面６に沿って凭れ掛けさせたタブレット端末３Ｂ、電子書籍端末、スマートフォン３Ｃの下端が、前方へずり動かないように前記係止部７で係止するのである。また、前記エッジ部材２０の両端部には、その溝部を塞ぐように目隠し板３２を設けて、前記ネジ２３やエッジ部材２０の内部が露出しないようにしている。
【００２７】
図１には、テーブル１の天板４にノートパソコン３Ａを載置し、サポート装置２の接続端子８に電源コードを接続し、また傾斜面６にタブレット端末３Ｂを後傾状態で支持した使用状態を示している。勿論、タブレット端末３Ｂもサポート装置２の接続端子８に電源コードを接続することができる。また、前記ボックス体５の背後から下方に延びた幕板部９はテーブル１の天板４の下方へ十分量延びて幕板の機能を果たすので、外観性において好ましいものとなる。
【００２８】
次に、本発明のサポート装置２の第２実施形態を図７〜図１０に基づいて説明するが、第１実施形態と同一構成には、同一符号を付してその説明は省略する。本実施形態のサポート装置２は、テーブル１の天板４の短辺側の側部に沿って設けるものであり、第１実施形態のものよりも短尺となっている。あるいは、本実施形態のサポート装置２のボックス体５は、第１実施形態のものに対して相似形で小さく寸法設定し、スマートフォン３Ｃ等の小型の携帯情報機器３を支持するのに適したものにしても良い。
【００２９】
本実施形態のサポート装置２は、ボックス体５の構造は第１実施形態と共通であり、相違する点は幕板部９の上下寸法と、固定手段１０の具体的構造である。本実施形態の幕板部９を構成する垂直板１６の上下寸法は前述のものより小さいが、下端部には前記同様な下面板１７と補強板１８を形成している。また、本実施形態でも前記同様なエッジ部材２０を用いる。前記垂直板１６の前面の両側部には、補強部材１９，１９が固着され、両補強部材１９，１９の前面に渡って断面略コ字形の支持部材３３が横設されている。前記支持部材３３の垂直な基板３４はネジ３５で前記補強部材１９に固定されている。そして、前記支持部材３３の上板３６は前記ボックス体５の支持面１４と一体化し、前記支持部材３３の下板３７は前方へ水平に突出した状態となっている。前記エッジ部材２０の両端部上面に固着した連結部材３８，３８は、前記補強部材１９，１９の外側に位置し、ネジ３９で該補強部材１９の側面に取付けられている。
【００３０】
そして、本実施形態の固定手段１０は、前記支持部材３３の下板３７に前側から断面コ字形の締付金具４０を配し、該締付金具４０の下板４１の図示しない通孔に下方からネジ４２の螺軸を挿通するとともに、前記支持部材３３の下板３７の図示しない螺孔に螺合し、該支持部材３３の上板４３を前記天板４の下面に当接するように構成している。つまり、前記ネジ４２を締め付けることにより、前記締付金具４０の下板４１が支持部材３３の下板３７に接近し、それに伴って締付金具４０の上板４３が前記天板４の下面に圧接し、前記ボックス体５の支持面１４と締付金具４０の上板４３とで、前記天板４を上下から挟持して取付けるのである。この場合、前記ネジ４２の大きなツマミ４４は、幕板部９の前方に位置し、手で回転操作することができ、工具がなくてもサポート装置２をテーブル１の天板４の側部に装着したり、外したりすることができる。本実施形態では、前記締付金具４０の横寸法は小さく、前記補強部材１９，１９に対応する二箇所に設けている。
【符号の説明】
【００３１】
１  テーブル、          ２  サポート装置、
３  携帯情報機器、      ３Ａ  ノートパソコン、
３Ｂ  タブレット端末、  ３Ｃ  スマートフォン、
４  天板、              ５  ボックス体、
６  傾斜面、            ７  係止部、
８  接続端子、          ９  幕板部、
１０  固定手段、        １１  脚部、
１２  垂直面、          １３  閉塞部材、
１４  支持面、          １５  締付部材、
１６  垂直板、          １７  下面板、
１８  補強板、          １９  補強部材、
２０  エッジ部材、      ２１  下板、
２２  通孔、            ２３  ネジ、
２４  螺孔、            ２５  水平部、
２６  垂直部、          ２７  縦長孔、
２８  固定ネジ、        ２９  螺孔、
３０  底面、            ３１  当止片、
３２  目隠し板、        ３３  支持部材、
３４  基板、            ３５  ネジ、
３６  上板、            ３７  下板、
３８  連結部材、        ３９  ネジ、
４０  締付金具、        ４１  下板、
４２  ネジ、            ４３  上板、
４４  ツマミ。
【図１】
2015104577.tif 000003
【図２】
2015104577.tif 000004
【図３】
2015104577.tif 000005
【図４】
2015104577.tif 000006
【図５】
2015104577.tif 000007
【図６】
2015104577.tif 000008
【図７】
2015104577.tif 000009
【図８】
2015104577.tif 000010
【図９】
2015104577.tif 000011
【図１０】
2015104577.tif 000012